【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
２本の線で複数個の電界効果型センサに給電するとともにそれらからデータを読み出すための装置であって、
電源と、
前記電源の第１の端子に接続された第１の電力端子および前記電源の第２の端子に接続された第２の電力端子を有する第１の電界効果型センサと、
前記第１の電界効果型センサの出力端子に接続された第１の端子および前記電源の前記第２の端子に接続された第２の端子を有し、第１の抵抗値を有する第１の負荷抵抗と、
前記電源の第１の端子に接続された第１の電力端子および前記電源の第２の端子に接続された第２の電力端子を有する第２の電界効果型センサと
前記第２の電界効果型センサの出力端子に接続された第１の端子および前記電源の前記第２の端子に接続された第２の端子を有し、前記第１の抵抗値と実質的に異なっている第２の抵抗値を有する第２の負荷抵抗と、
前記第１の電界効果型センサおよび前記第２の電界効果型センサに接続された検出回路、
を備えていることを特徴とする前記装置。
【請求項２】
２本の線で電界効果型センサに給電するとともにそれからデータを読み出すための装置であって、
入出力端子を有するパルス発生器および検出回路と、
第１の電力端子および出力端子を有する電界効果型センサと、
前記入出力端子に接続された前記電界効果型センサの前記第１の電力端子と、
前記入出力端子に接続された電力端子を有するトランジスタと、
前記トランジスタの前記電力端子および前記入出力端子の間に接続された負荷抵抗と、
電力源および前記入出力端子の間に接続されたプルアップ抵抗と、
前記トランジスタの制御端子に接続された前記電界効果型センサの前記出力端子、
から構成されることを特徴とする前記装置。
【請求項３】
２本の線で電界効果型センサに給電するとともにそれからデータを読み出すための装置であって、
第１の電力端子および出力端子を有する電界効果型センサと、
前記電界効果型センサの前記第１の電力端子に接続されたバッテリ、
から構成されることを特徴とする前記装置。
【請求項４】
請求項１に記載の装置であって、さらに
前記電源の第１の端子に接続された第１の電力端子および前記電源の第２の端子に接続された第２の電力端子を有する第３の電界効果型センサと、
前記第３の電界効果型センサの出力端子に接続された第１の端子、および前記電源の前記第２の端子に接続された第２の端子を有し、前記第１の抵抗値および前記第２の抵抗値と実質的に異なっている第３の抵抗値を有する第３の負荷抵抗を備え、
前記検出回路がさらに前記第３の電界効果型センサに接続されていることを特徴とする前記装置。
【請求項５】
請求項４に記載の装置において、前記第１、第２、および第３の抵抗値は、前記３つの抵抗値のいずれもが、前記他の２つの抵抗値の数学的合計値に実質的に等しくないように選択されることを特徴とする前記装置。
【請求項６】
請求項１に記載の装置であって、さらに、前記第１の電界効果型センサの前記第１の電力端子および前記第２の電界効果型センサの前記第１の電力端子に接続された感知抵抗を備えていることを特徴とする前記装置。
【請求項７】
請求項６に記載の装置において、前記感知抵抗が前記検出回路の第１および第２の入力端子間に接続されていることを特徴とする前記装置。
【請求項８】
請求項１に記載の装置であって、さらに前記検出回路に接続されたデコーディング回路を備え、前記デコーディング回路は、前記検出回路の出力に基づいて前記第１の電界効果型センサおよび前記第２の電界効果型センサの状態を判定するように構成されていることを特徴とする前記装置。
【請求項９】
２本の線で複数個の電界効果型センサに給電するとともにそれからデータを読み出すための装置であって、
電力端子および出力端子を有する第１の電界効果型センサと、
前記第１の電界効果型センサの前記電力端子に接続された第１のストレージ・コンデンサと、
入出力端子を有するパルス発生器および検出回路であって、前記入出力端子は前記第１の電界効果型センサの前記電力端子および前記第１の電界効果型センサの前記出力端子に接続され、前記制御回路は電力信号を前記第１の電界効果型センサの前記電力端子および前記第１のストレージ・コンデンサに、選択的に出力するよう構成されているとともに、前記第１の電界効果型センサの前記出力端子の状態に対応するデータ信号を選択的に受信するように構成されているパルス発生器および検出回路と、
（ａ）前記第１の電界効果型センサの前記電力端子および前記第１のストレージ・コンデンサと（ｂ）前記入出力端子の間に接続されている第１のダイードと、
前記第１の電界効果型センサの前記出力端子と前記入出力端子の間に接続されている第１のトランジスタから構成され、
前記第１の電界効果型センサの前記出力端子は、前記第１のトランジスタの制御端子に接続されていることを特徴とする前記装置。
【請求項１０】
請求項９に記載の装置であって、さらに分圧器として直列に接続された、第１の抵抗と第２の抵抗を備え、前記入出力端子が前記第１の抵抗と前記第２の抵抗の結合点に接続されていることを特徴とする前記装置。
【請求項１１】
請求項９に記載の装置であって、さらに
電力端子と出力端子を有する第２の電界効果型センサと、
前記第２の電界効果型センサの前記電力端子に接続された第２のストレージ・コンデンサと、
（ａ）前記第２の電界効果型センサの前記電力端子および前記第１のストレージ・コンデンサと（ｂ）前記入出力端子の間に接続されている第２のダイードと、
前記第２の電界効果型センサの前記出力端子と前記入出力端子の間に接続されている第２のトランジスタから構成され、
前記第２の電界効果型センサの前記出力端子は、前記第２のトランジスタの制御端子に接続されていることを特徴とする前記装置。
【請求項１２】
パルス発生器および検出回路の入出力端子に接続された電力端子とトランジスタの制御端子に接続された出力端子を有した電界効果型センサに給電するとともに、それからデータを読み出すための方法であって、前記トランジスタが、さらに前記パルス発生器および検出回路の前記入出力端子に接続されており、前記方法が、
前記パルス発生器および検出回路の前記入出力端子から電力信号を出力する段階と、
前記電界効果型センサの前記電力端子に接続されたストレージ・コンデンサに、前記電力信号を供給する段階と、
前記電界効果型センサの前記電力端子を介して前記コンデンサを放電させることによって、前記電界効果型センサに給電する段階と、
前記入出力端子に現れる電圧を、前記入出力端子を介して検出する段階と、
前記入出力端子における前記電圧に基づいて、前記電界効果型センサの状態を判定する段階を有することを特徴とする前記方法。
【請求項１３】
パルス発生器および検出回路の入出力端子に接続された電力端子とトランジスタの制御端子に接続された出力端子を有した電界効果型センサに給電するとともに、それからデータを読み出すための方法であって、前記トランジスタが、さらに前記パルス発生器および検出回路の前記入出力端子に接続されており、前記方法が、
前記パルス発生器および検出回路の前記入出力端子から電力信号を出力する段階と、
前記電界効果型センサの前記電力端子に、前記電力信号を供給する段階と、
前記入出力端子に現れる電圧を、前記入出力端子を介して検出する段階と、
前記入出力端子における前記電圧に基づいて、前記電界効果型センサの状態を判定する段階を有することを特徴とする前記方法。
【手続補正２】
【補正対象書類名】明細書
【補正対象項目名】００２２
【補正方法】変更
【補正の内容】
【００２２】
【図１】図１は、本発明の第１の実施例を概略的に示している。
【図２Ａ】図２Ａは、本発明の第２の実施例を概略的に示している。
【図２Ｂ】図２Ｂは、本発明の第２の実施例の代替形態を概略的に示している。
【図３】図３は、本発明の第３の実施例を概略的に示している。
【図４】図４は、本発明の第４の実施例を概略的に示している。
【手続補正３】
【補正対象書類名】図面
【補正対象項目名】全図
【補正方法】変更
【補正の内容】
【図１】
2006524423.tif 000001
【図２Ａ】
2006524423.tif 000002
【図２Ｂ】
2006524423.tif 000003
【図３】
2006524423.tif 000004
【図４】
2006524423.tif 000005